(57)【特許請求の範囲】
【請求項１】
手動操作式流体制御器においてハンドルの上下位置を固定するためのロック装置であって、側面視逆Ｌ字状に形成され、ハンドルの根元部を内嵌可能な孔部を備えたハンドル挟持部と、該挟持部の基端部から略直角下方向に延出されたボンネット下端部への取り付け部とから構成されてなることを特徴とする手動操作式流体制御器のロック装置。
【請求項２】
前記孔部に、孔部の内径を調節可能な調節機構が設けられてなることを特徴とする請求項１記載の手動操作式流体制御器のロック装置。
【請求項３】
前記ハンドル挟持部の外面から孔部に達するようにネジ孔が穿設されてなるとともに、該ネジ孔にハンドル固定用ネジが螺合されてなることを特徴とする請求項１記載の手動操作式流体制御器のロック装置。
【請求項４】
前記取り付け部が、下端部内面側に幅方向全長にわたって形成された方形状の切り欠き部であることを特徴とする請求項１乃至３記載の手動操作式流体制御器のロック装置。
【請求項５】
前記取り付け部が、下端部に所定間隔を空けて互いに平行に形成された２つの突出片であることを特徴とする請求項１乃至３記載の手動操作式流体制御器のロック装置。
【請求項６】
前記取り付け部が平板状とされ、ボンネット下端部の外周面から弁箱の流路が延出されていない外周面に沿うように取り付けられることを特徴とする請求項１乃至３記載の手動操作式流体制御器のロック装置。
【請求項７】
請求項１記載のロック装置を備えてなる手動操作式流体制御器であって、前記ハンドル挟持部の孔部にハンドルの根元部が内嵌され、前記取り付け部がボンネットの下端部に取り付けられてなることを特徴とする手動操作式流体制御器。
【請求項８】
前記孔部に、孔部の内径を調節可能な調節機構が設けられてなるとともに、該調節機構による孔部の縮径によってハンドルの根元部を挟持してボンネットに対するハンドルの上下位置を固定するように構成されてなることを特徴とする請求項７記載の手動操作式流体制御器。
【請求項９】
前記ハンドル挟持部の外面から孔部に達するようにネジ孔が穿設されてなるとともに、該ネジ孔にハンドル固定用ネジを螺合することにより、ボンネットに対するハンドルの上下位置を固定するように構成されてなることを特徴とする請求項７記載の手動操作式流体制御器。
【請求項１０】
ボンネットの下端部外形が方形とされてなるとともに、ロック装置の取り付け部が内面側下端部に幅方向全長にわたって形成された方形状の切り欠き部であって、該切り欠き部が前記ボンネット下端部の外周面における直線部に当接するように取り付けられてなることを特徴とする請求項７乃至９記載の手動操作式流体制御器。
【請求項１１】
ボンネットの下端部外形が円形とされ且つ外周面の所要箇所に突出部が形成されてなるとともに、ロック装置の取り付け部が下端部に所定間隔を空けて互いに平行に形成された２つの突出片であって、該２つの突出片が前記ボンネット下端部の外周面に形成された突出部を挟み込むように取り付けられてなることを特徴とする請求項７乃至９記載の手動操作式流体制御器。
【請求項１２】
ロック装置の取り付け部が平板状とされるとともに、該取り付け部がボンネット下端部の外周面から弁箱の流路が延出されていない外周面に沿うように取り付けられてなることを特徴とする請求項７乃至９記載の手動操作式流体制御器。
【発明の詳細な説明】
【０００１】
【発明の属する技術分野】
本発明は手動操作式流体制御器のロック装置に係り、その目的は流路の開放度合いを長時間にわたって一定に維持することができて厳密な流量コントロールが可能な手動操作式流体制御器を提供することにある。
【０００２】
【従来の技術】
従来より、ハンドルの回転操作によって流路を開閉する手動操作式の流体制御器は広く使用されており、このような手動操作式の流体制御器としては例えば図１７に示すような構造のものが挙げられる。
図１７示の流体制御器は流路を開放した状態を示しており、このように流路を開放するには、ハンドル（Ａ）を反時計周りに回転させてハンドル（Ａ）をボンネット（Ｂ）に対して上昇させ、これによりステム（Ｃ）及びコンプレッサー（Ｄ）を上昇させてダイヤフラム（Ｅ）をシール座（Ｆ）から離間させ、流路（Ｇ）を開放する。
【０００３】
【発明が解決しようとする課題】
しかしながら、上記したような従来の手動操作式の流体制御器には以下に述べるような課題が存在した。
すなわち、流路（Ｇ）の開放度合いはハンドル（Ａ）の上昇位置によって決まるものであるが、図１７に示すような従来の手動操作式の流体制御器では、ハンドル（Ａ）を上昇させて流路（Ｇ）を開放した状態でそのまま放置すると、時間の経過に伴ってハンドル（Ａ）が徐々に下降し、これに伴って流路（Ｇ）の開放度合いが低下してしまっていた。この現象は、特に流路（Ｇ）を少しだけ開放した状態、即ちハンドル（Ａ）を中途部まで上昇させた状態で放置しておいた場合に顕著であった。
このような実情から、化学工業プラント等の厳密な流量コントロールが要求される分野においては手動操作式の流体制御器を使用することはできなかった。
そこで業界では、流路の開放度合いを長時間にわたって一定に維持することができて厳密な流量コントロールが可能な手動操作式流体制御器の創出が望まれていた。
【０００４】
【課題を解決するための手段】
本発明は上記課題を解決するためになされたものであって、請求項１に係る発明は、手動操作式流体制御器においてハンドルの上下位置を固定するためのロック装置であって、側面視逆Ｌ字状に形成され、ハンドルの根元部を内嵌可能な孔部を備えたハンドル挟持部と、該挟持部の基端部から略直角下方向に延出されたボンネット下端部への取り付け部とから構成されてなることを特徴とする手動操作式流体制御器のロック装置に関する。
請求項２に係る発明は、前記孔部に、孔部の内径を調節可能な調節機構が設けられてなることを特徴とする請求項１記載の手動操作式流体制御器のロック装置に関する。
請求項３に係る発明は、前記ハンドル挟持部の外面から孔部に達するようにネジ孔が穿設されてなるとともに、該ネジ孔にハンドル固定用ネジが螺合されてなることを特徴とする請求項１記載の手動操作式流体制御器のロック装置に関する。
【０００５】
請求項４に係る発明は、前記取り付け部が、下端部内面側に幅方向全長にわたって形成された方形状の切り欠き部であることを特徴とする請求項１乃至３記載の手動操作式流体制御器のロック装置に関する。
請求項５に係る発明は、前記取り付け部が、下端部に所定間隔を空けて互いに平行に形成された２つの突出片であることを特徴とする請求項１乃至３記載の手動操作式流体制御器のロック装置に関する。
請求項６に係る発明は、前記取り付け部が平板状とされ、ボンネット下端部の外周面から弁箱の流路が延出されていない外周面に沿うように取り付けられることを特徴とする請求項１乃至３記載の手動操作式流体制御器のロック装置に関する。
【０００６】
請求項７に係る発明は、請求項１記載のロック装置を備えてなる手動操作式流体制御器であって、前記ハンドル挟持部の孔部にハンドルの根元部が内嵌され、前記取り付け部がボンネットの下端部に取り付けられてなることを特徴とする手動操作式流体制御器に関する。
請求項８に係る発明は、前記孔部に、孔部の内径を調節可能な調節機構が設けられてなるとともに、該調節機構による孔部の縮径によってハンドルの根元部を挟持してボンネットに対するハンドルの上下位置を固定するように構成されてなることを特徴とする請求項７記載の手動操作式流体制御器に関する。
請求項９に係る発明は、前記ハンドル挟持部の外面から孔部に達するようにネジ孔が穿設されてなるとともに、該ネジ孔にハンドル固定用ネジを螺合することにより、ボンネットに対するハンドルの上下位置を固定するように構成されてなることを特徴とする請求項７記載の手動操作式流体制御器に関する。
【０００７】
請求項１０に係る発明は、ボンネットの下端部外形が方形とされてなるとともに、ロック装置の取り付け部が内面側下端部に幅方向全長にわたって形成された方形状の切り欠き部であって、該切り欠き部が前記ボンネット下端部の外周面における直線部に当接するように取り付けられてなることを特徴とする請求項７乃至９記載の手動操作式流体制御器。
請求項１１に係る発明は、ボンネットの下端部外形が円形とされ且つ外周面の所要箇所に突出部が形成されてなるとともに、ロック装置の取り付け部が下端部に所定間隔を空けて互いに平行に形成された２つの突出片であって、該２つの突出片が前記ボンネット下端部の外周面に形成された突出部を挟み込むように取り付けられてなることを特徴とする請求項７乃至９記載の手動操作式流体制御器に関する。
請求項１２に係る発明は、ロック装置の取り付け部が平板状とされるとともに、該取り付け部がボンネット下端部の外周面から弁箱の流路が延出されていない外周面に沿うように取り付けられてなることを特徴とする請求項７乃至９記載の手動操作式流体制御器に関する。
【０００８】
【発明の実施の形態】
以下、本発明に係る手動操作式流体制御器のロック装置及びこの装置を備えた流体制御器の好適な実施形態について図面に基づいて説明する。
図１は本発明に係る手動操作式流体制御器のロック装置の第一実施形態を示す側面図であり、図２はその平面図、図３はその正面図である。
本発明に係る手動操作式流体制御器のロック装置（１）は、図示の如く側面視逆Ｌ字状に形成されており、ハンドル挟持部（２）と、ハンドル挟持部（２）の基端部から略直角下方向に延出された取り付け部（３）とから構成される。
【０００９】
ハンドル挟持部（２）は、ハンドルの根元部を内嵌可能な孔部（２１）とこの孔部（２１）の内径を調節可能な調節機構（２２）とを備えている。調節機構（２２）の形態については、孔部（２１）の内径を調節可能であれば特に限定されないが、図示例ではハンドル挟持部（２）の先端を割り型とし、この割り型の一方に雌ねじ部（２ａ）を他方に貫通孔（２ｂ）をそれぞれ形成し、ボルト（２ｃ）を貫通孔（２ｂ）に挿通して雌ねじ部（２ａ）に螺合することにより、孔部（２１）の内径を調整するように構成されている。
【００１０】
取り付け部（３）はロック装置（１）を流体制御器のボンネットに取り付けるために設けられており、第一実施形態においては、図１及び図３に示す如く下端部内面側に幅方向全長にわたって形成された方形状の切り欠き部（３１）とされている。
【００１１】
図４は上記構成からなるロック装置（１）を手動操作式流体制御器（４）に取り付けた様子を示す図であり、図５はその断面図である。
ロック装置（１）の取り付けに際しては、手動操作式流体制御器（４）のハンドルを反時計周りに回転させてダイヤフラム（４４）をシール座（４５）から離間させることにより流路（４６）を所要量だけ開放し、その状態でハンドル挟持部（２）の孔部（２１）にハンドルの根元部（４１）を内嵌するとともに、切り欠き部（３１）を図示の如くボンネット（４２）の段部に当接させる。次いでボルト（２ｃ）を締め込んで孔部（２１）を縮径し、ハンドルの根元部（４１）を外周から挟持固定する。
【００１２】
図６はロック装置（１）を手動操作式流体制御器（４）に取り付けた状態において、ボンネット（４２）を弁座から取り外して裏面から見た様子を示す図であり、図示の如く、切り欠き部（３１）は幅方向全長にわたってボンネット（４２）の下端部の外周面における直線部（４２ａ）に当接するように取り付けられる。
【００１３】
図示の如く本発明に係るロック装置（１）を手動操作式流体制御器（４）に取り付けることによって、ボンネット（４２）に対するハンドルの上下位置を完全に固定することができる。従って、流路の開放度合いを長時間にわたって一定に維持することが可能となり、手動操作式流体制御器において厳密な流量コントロールが可能となる。
【００１４】
また、手動操作式流体制御器（４）においては、流路の開放を目視で確認することができるように、ハンドルの上下動によって見え隠れする部分のボンネット（４２）の表面にハンドルの色と異なる色（例えば黄色）の着色を施したインジケーター（４３）が設けられていることがあるが、本発明に係るロック装置（１）によれば図４に示す如くインジケーター（４３）が遮蔽されることがなく、ロック装置（１）を取り付けた状態においても流路の開放を目視で確認することができる。
【００１５】
図７は本発明に係る手動操作式流体制御器のロック装置の第二実施形態を示す側面図であり、図８はその平面図、図９はその正面図である。
第二実施形態に係る手動操作式流体制御器のロック装置（１）が前記第一実施形態と異なる点は、取り付け部（３）が下端部に所定間隔を空けて互いに平行に形成された２つの突出片（３２）とされていることであり、その他の構成は前記第一実施形態と同じである。
【００１６】
第二実施形態に係るロック装置（１）は、手動操作式流体制御器（４）のボンネット（４２）の下端部外形が円形である場合に使用され、この場合には手動操作式流体制御器（４）のボンネット（４２）の下端部外周面の所要箇所に突出部（４７）を形成する。
【００１７】
図１０は第二実施形態に係るロック装置（１）を手動操作式流体制御器（４）に取り付けた様子を示す断面図であり、図１１は第二実施形態に係るロック装置（１）を手動操作式流体制御器（４）に取り付けた状態において、ボンネット（４２）を弁座から取り外して裏面から見た様子を示す図である。
第二実施形態に係るロック装置（１）の取り付けに際しては、手動操作式流体制御器（４）のハンドルを反時計周りに回転させて流路（４６）を所要量だけ開放し、その状態でハンドル挟持部（２）の孔部（２１）にハンドルの根元部（４１）を内嵌するとともに、ボンネット下端部の外周面に形成された突出部（４７）を２つの突出片（３２）の間に挟み込む。次いでボルト（２ｃ）を締め込んで孔部（２１）を縮径し、ハンドルの根元部（４１）を外周から挟持固定する。
【００１８】
図示の如く、第二実施形態に係るロック装置（１）を手動操作式流体制御器（４）に取り付けることによっても、ボンネット（４２）に対するハンドルの上下位置を完全に固定することができ、従って、流路の開放度合いを長時間にわたって一定に維持することが可能となり、手動操作式流体制御器において厳密な流量コントロールが可能となる。
また、インジケーターが遮蔽されることがなく、ロック装置を取り付けた状態においても流路の開放を目視で確認することができる。
【００１９】
図１２は本発明に係る手動操作式流体制御器のロック装置の第三実施形態を示す側面図であり、図１３はその平面図、図１４はその正面図である。
第三実施形態に係る手動操作式流体制御器のロック装置（１）は、図１２示の如く側面視逆Ｌ字状に形成されており、ハンドル挟持部（２）と、ハンドル挟持部（２）の基端部から略直角下方向に延出された取り付け部（３）とから構成される。
そして、この第三実施形態においては、ハンドル挟持部（２）と取り付け部（３）とは図示の如く別部材から構成されており、２本のボルト（５）によってハンドル挟持部（２）と取り付け部（３）とが一体化されている。
【００２０】
ハンドル挟持部（２）は、ハンドルの根元部を内嵌可能な孔部（２１）と、ハンドル挟持部の外面から孔部に達するように穿設されたネジ孔（２３）と、このネジ孔（２３）に螺合されたハンドル固定用ネジ（２４）と、ネジ孔（２３）の最奥部に嵌着されたピーク樹脂等からなるパッキン（２５）とを備えている。
そして、この第三実施形態においては、取り付け部（３）は平板状とされている。
【００２１】
図１５は第三実施形態に係るロック装置（１）を手動操作式流体制御器（４）に取り付けた様子を示す一部断面正面図であり、図１６は側面図である。
第三実施形態に係るロック装置（１）は、図示の如く、ハンドル挟持部（２）の孔部（２１）にハンドルの根元部（４１）を内嵌し、取り付け部（３）をボンネット（４２）下端部の外周面から弁箱（６）の流路（４６）が延出されていない外周面に沿わすようにして手動操作式流体制御器（４）に取り付けられる。
【００２２】
そして、手動操作式流体制御器（４）のハンドルを反時計周りに回転させて流路（４６）を所要量だけ開放し、その状態でハンドル固定用ネジ（２４）を進行方向に回転させてパッキン（２５）をハンドルの根元部（４１）の外周面に対して密着させることにより、ハンドルの根元部（４１）を押圧固定する。
【００２３】
このように、第三実施形態に係るロック装置（１）を手動操作式流体制御器（４）に取り付けることによっても、ボンネット（４２）に対するハンドルの上下位置を完全に固定することができ、従って、流路の開放度合いを長時間にわたって一定に維持することが可能となり、手動操作式流体制御器において厳密な流量コントロールが可能となる。
また、インジケーターが遮蔽されることがなく、ロック装置を取り付けた状態においても流路の開放を目視で確認することができる。
【００２４】
上記した第一乃至第三実施形態に係るロック装置（１）は、後付けで手動操作式流体制御器に取り付ける構成としてもよいが、図５、図１０、図１５及び図１６に示したようなロック装置（１）が予め取り付けられた手動操作式流体制御器（４）とすることもできる。
【００２５】
この場合、第一及び第二実施形態に係るロック装置（１）が取り付けられた手動操作式流体制御器（４）においては、通常の状態ではハンドル挟持部（２）の孔部（２１）を拡径状態としてハンドルの回転操作を可能としておき、流路を所定量開放した状態で保持したいときに調節機構（２２）により孔部（２１）を縮径してハンドルの根元部（４１）を挟持固定するようにすれば、手動操作式流体制御器において厳密な流量コントロールが可能となる。
【００２６】
また、第三実施形態に係るロック装置（１）が取り付けられた手動操作式流体制御器（４）においては、通常の状態ではハンドル固定用ネジ（２４）を緩めておいてハンドルの回転操作を可能としておき、流路を所定量開放した状態で保持したいときにハンドル固定用ネジ（２４）を締めてパッキン（２５）をハンドルの根元部（４１）の外周面に対して密着させ、ハンドルの根元部（４１）を押圧固定するようにすれば、手動操作式流体制御器において厳密な流量コントロールが可能となる。
【００２７】
尚、本発明において手動操作式流体制御器の構成は図示例には限定されず、ハンドルによる手動操作で流路を開閉可能な流体制御器であれば如何なる構成のものを使用してもよい。
【００２８】
【発明の効果】
以上説明したように、本発明は、手動操作式流体制御器においてハンドルの上下位置を固定するためのロック装置であって、側面視逆Ｌ字状に形成され、ハンドルの根元部を内嵌可能な孔部を備えたハンドル挟持部と、該挟持部の基端部から略直角下方向に延出されたボンネット下端部への取り付け部とから構成されてなることを特徴とする手動操作式流体制御器のロック装置、及び、このロック装置を備えてなる手動操作式流体制御器であって、前記ハンドル挟持部の孔部にハンドルの根元部が内嵌され、前記取り付け部がボンネットの下端部に取り付けられてなることを特徴とする手動操作式流体制御器であるから、ロック装置によってボンネットに対するハンドルの上下位置を簡単な操作で完全に固定することができ、流路の開放度合いを長時間にわたって一定に維持することが可能で厳密な流量コントロールが可能な手動操作式流体制御器を得ることができる。
【図面の簡単な説明】
【図１】本発明に係る手動操作式流体制御器のロック装置の第一実施形態を示す側面図である。
【図２】本発明に係る手動操作式流体制御器のロック装置の第一実施形態を示す平面図である。
【図３】本発明に係る手動操作式流体制御器のロック装置の第一実施形態を示す正面図である。
【図４】第一実施形態に係るロック装置を手動操作式流体制御器に取り付けた様子を示す図である。
【図５】図４の断面図である。
【図６】第一実施形態に係るロック装置をロック装置を手動操作式流体制御器に取り付けた状態において、ボンネットを弁座から取り外して裏面から見た様子を示す図である。
【図７】本発明に係る手動操作式流体制御器のロック装置の第二実施形態を示す側面図である。
【図８】本発明に係る手動操作式流体制御器のロック装置の第二実施形態を示す平面図である。
【図９】本発明に係る手動操作式流体制御器のロック装置の第二実施形態を示す正面図である。
【図１０】第二実施形態に係るロック装置を手動操作式流体制御器に取り付けた様子を示す断面図である。
【図１１】第二実施形態に係るロック装置を手動操作式流体制御器に取り付けた状態において、ボンネットを弁座から取り外して裏面から見た様子を示す図である。
【図１２】本発明に係る手動操作式流体制御器のロック装置の第三実施形態を示す側面図である。
【図１３】本発明に係る手動操作式流体制御器のロック装置の第三実施形態を示す平面図である。
【図１４】本発明に係る手動操作式流体制御器のロック装置の第三実施形態を示す正面図である。
【図１５】第三実施形態に係るロック装置を手動操作式流体制御器に取り付けた様子を示す一部断面正面図である。
【図１６】第三実施形態に係るロック装置を手動操作式流体制御器に取り付けた様子を示す側面図である。
【図１７】従来の手動操作式流体制御器の一例を示す断面図である。
【符号の説明】
１      ロック装置
２      ハンドル挟持部
２１    孔部
２２    調節機構
２３    ネジ孔
２４    ハンドル固定用ネジ
３      取り付け部
３１    切り欠き部
３２    突出片
４      手動操作式流体制御器
４１    ハンドルの根元部
４２    ボンネット
４２ａ  直線部
４７    突出部
【図１】
0004232921.tif 000002
【図２】
0004232921.tif 000003
【図３】
0004232921.tif 000004
【図４】
0004232921.tif 000005
【図５】
0004232921.tif 000006
【図６】
0004232921.tif 000007
【図７】
0004232921.tif 000008
【図８】
0004232921.tif 000009
【図９】
0004232921.tif 000010
【図１０】
0004232921.tif 000011
【図１１】
0004232921.tif 000012
【図１２】
0004232921.tif 000013
【図１３】
0004232921.tif 000014
【図１４】
0004232921.tif 000015
【図１５】
0004232921.tif 000016
【図１６】
0004232921.tif 000017
【図１７】
0004232921.tif 000018